(57)【要約】【課題】  ユーザの嗜好に合ったコンテンツを容易に検索すること。【解決手段】  メディアサーバＭに蓄積したコンテンツを検索し、所望のコンテンツの再生を行うようにしたメディアプレーヤ１において、再生履歴を保存する再生履歴保存メモリ２が設けられ、その再生履歴保存メモリ２から呼び出した再生履歴に対してクラスタリングを行って再生履歴グループ分けリストを作成する再生履歴グループ分け手段が設けられ、メディアサーバＭから取得したコンテンツを再生履歴グループ分けリストに割り振ってコンテンツ割振りリストを形成するコンテンツ割振り手段が設けられており、再生履歴グループ分けリスト及びコンテンツ割振りリストからなるユーザリストに基づいて所望のコンテンツを選択して再生する。【選択図】        図１
2009217551.tif 000002
【特許請求の範囲】
【請求項１】
メディアサーバに蓄積したコンテンツを検索し、所望のコンテンツの再生を行うように
したメディアプレーヤにおいて、再生履歴を保存する再生履歴保存メモリが設けられ、そ
の再生履歴保存メモリから呼び出した再生履歴に対してクラスタリングを行って再生履歴
グループ分けリストを作成する再生履歴グループ分け手段が設けられ、メディアサーバか
ら取得したコンテンツを再生履歴グループ分けリストに割り振ってコンテンツ割振りリス
トを形成するコンテンツ割振り手段が設けられており、前記再生履歴グループ分けリスト
及びコンテンツ割振りリストからなるユーザリストに基づいて所望のコンテンツを選択し
て再生するようにしたことを特徴とするメディアプレーヤ。
【請求項２】
前記再生履歴に対してクラスタリングを行う際にコンテンツに重み付けを行う重み付け
設定部が設けられていることを特徴とする請求項１に記載のメディアプレーヤ。
【請求項３】
前記ユーザリストの更新条件を設定する更新条件設定部が設けられていることを特徴と
する請求項１または２に記載のメディアプレーヤ。
【請求項４】
メディアサーバに蓄積したコンテンツを検索し、所望のコンテンツの再生を行うように
したメディアプレーヤにおいて、再生履歴を保存するための再生履歴保存メモリと、再生
履歴に対してクラスタリングを行って形成した再生履歴グループ分けリストを保存するた
めの再生履歴グループ分けリスト保存メモリと、メディアサーバから取得したコンテンツ
を再生履歴グループ分けリストに割り振って形成したコンテンツ割振りリストを保存する
ためのコンテンツ割振りリスト保存メモリとを有しており、メディアサーバに接続し、再
生履歴グループ分けリスト及びコンテンツ割振りリストからなるユーザリストを選択する
否かを判断し、選択するときにはユーザリストに基づいてコンテンツを選択し、その選択
をしないときにはメディアサーバからコンテンツ情報を取得してコンテンツを選択し、そ
の選択したコンテンツを再生し、その再生履歴を再生履歴保存メモリに保存することを特
徴とするメディアプレーヤの再生方法。
【発明の詳細な説明】
【技術分野】
【０００１】
本発明は、メディアサーバからコンテンツを取得して再生するためのメディアプレーヤ
と、その再生方法に関する。
【背景技術】
【０００２】
メディアプレーヤでは、例えば推理ドラマ、連続ドラマ、ロボットアニメなどの多数の
コンテンツを蓄積したメディアサーバからコンテンツ情報を取得し、その情報に基づいて
コンテンツを検索することにより、所望のコンテンツの再生を行う。
【０００３】
ここで、コンテンツの管理方法の一例として、ユーザが設定した複数のファイルにコン
テンツを収納して管理することが考えられるが、これでは、コンテンツ管理をユーザ自身
が行う必要があり、手間と時間とがかかって面倒であると共に、大量のコンテンツを管理
するのには不適切である。
【０００４】
従来、特許文献１に記載しているように、メディアサーバに蓄積されている多数のコン
テンツに付与されている属性情報を取得してコンテンツクラスタを生成しておき、ユーザ
が一つのコンテンツクラスタを選択し、そのコンテンツクラスタのコンテンツ表示面から
所望のコンテンツを指定するものがある。
【特許文献１】特開２００７−２２６６６３号公報
【発明の開示】
【発明が解決しようとする課題】
【０００５】
上記従来の構成では、メディアサーバに蓄積されている多数のコンテンツに付与されて
いる属性情報に基づいてクラスタリングを行っており、そのクラスタリングにユーザの嗜
好による視聴性向が反映されていないので、ユーザの嗜好に合ったコンテンツを検索する
のに手間と時間とがかかることがある。
【０００６】
また、メディアサーバに保存されている例えば再生回数などの再生履歴からユーザの嗜
好に合ったコンテンツを検索する技術があるが、これでは、メディアプレーヤを別のメデ
ィアサーバに接続したときに、ユーザの嗜好が反映されない。
【０００７】
更に、メディアプレーヤ側でお気に入りを登録していたとしても、それは特定メディア
サーバ内の特定コンテンツのみに対してであって、別のメディアサーバに同じコンテンツ
があった場合は対応できない。
【０００８】
本発明は、上記従来の欠点に鑑み、ユーザの嗜好に合ったコンテンツを容易に検索する
ことができるようにしたメディアプレーヤとその再生方法を提案する。
【課題を解決するための手段】
【０００９】
上記目的を達成するため、請求項１に記載の発明は、メディアサーバに蓄積したコンテ
ンツを検索し、所望のコンテンツの再生を行うようにしたメディアプレーヤにおいて、再
生履歴を保存する再生履歴保存メモリが設けられ、その再生履歴保存メモリから呼び出し
た再生履歴に対してクラスタリングを行って再生履歴グループ分けリストを作成する再生
履歴グループ分け手段が設けられ、メディアサーバから取得したコンテンツを再生履歴グ
ループ分けリストに割り振ってコンテンツ割振りリストを形成するコンテンツ割振り手段
が設けられており、前記再生履歴グループ分けリスト及びコンテンツ割振りリストからな
るユーザリストに基づいて所望のコンテンツを選択して再生するようにしたことを特徴と
している。
【００１０】
請求項２に記載の発明は、請求項１に記載の発明において、前記再生履歴に対してクラ
スタリングを行う際にコンテンツに重み付けを行う重み付け設定部が設けられていること
を特徴としている。
【００１１】
請求項３に記載の発明は、請求項１または２に記載の発明において、前記ユーザリスト
の更新条件を設定する更新条件設定部が設けられていることを特徴としている。
【００１２】
請求項４に記載の発明は、メディアサーバに蓄積したコンテンツを検索し、所望のコン
テンツの再生を行うようにしたメディアプレーヤにおいて、再生履歴を保存するための再
生履歴保存メモリと、再生履歴に対してクラスタリングを行って形成した再生履歴グルー
プ分けリストを保存するための再生履歴グループ分けリスト保存メモリと、メディアサー
バから取得したコンテンツを再生履歴グループ分けリストに割り振って形成したコンテン
ツ割振りリストを保存するためのコンテンツ割振りリスト保存メモリとを有しており、メ
ディアサーバに接続し、再生履歴グループ分けリスト及びコンテンツ割振りリストからな
るユーザリストを選択する否かを判断し、選択するときにはユーザリストに基づいてコン
テンツを選択し、その選択をしないときにはメディアサーバからコンテンツ情報を取得し
てコンテンツを選択し、その選択したコンテンツを再生し、その再生履歴を再生履歴保存
メモリに保存することを特徴としている。
【発明の効果】
【００１３】
請求項１に記載の発明によれば、再生履歴グループ分けリスト及びコンテンツ割振りリ
ストからなるユーザリストに基づいて所望のコンテンツを選択して再生するようになって
おり、そのリストの形成にユーザの嗜好による視聴性向が反映されているので、ユーザの
嗜好に合ったコンテンツを容易に検索することができる。
【００１４】
また、再生履歴が再生履歴保存メモリに保存されているので、メディアプレーヤを別の
メディアサーバに接続したときでも、その再生履歴を有効に利用してユーザの嗜好を反映
させることができる。
【００１５】
請求項２に記載の発明によれば、思い入れの強いコンテンツであってもコンテンツ数が
少なければ、「該当グループなし」にグループ分けされる可能性があるが、重み付けする
ことにより、コンテンツ数が少なくても思い入れの強いコンテンツを独立のグループとし
て再生履歴グループ分けリストに載せることができる。
【００１６】
請求項３に記載の発明において、メディアプレーヤの起動のたびにユーザリストを更新
することは、そのメディアプレーヤに負担がかかり、ユーザの嗜好も短期間でほとんど変
化しないので、実際的ではない。そこで、更新条件として例えば３０日という更新期間を
設定し、その期間経過後に、ユーザリストを更新すれば、メディアプレーヤの負担を軽減
して実用性を高めることができる。
【００１７】
請求項４に記載の発明によれば、メディアサーバから取得したコンテンツ情報に基づい
てコンテンツを選択し再生する既存のルートに、ユーザリストに基づいてコンテンツを選
択し再生するルートが追加されており、その２つのルートをユーザが必要に応じて使い分
けすることができるので、使い勝手の良いメディアプレーヤを提供することができる。
【発明を実施するための最良の形態】
【００１８】
図１〜図７は本発明の実施の一形態であるメディアプレーヤを示すものであって、図１
は同ブロック図、図２は同ユーザリストの形成手順を示す流れ図、図３は同再生手順を示
す流れ図、図４は同再生履歴を示す一覧表、図５は同再生履歴のグループ分け状態を示す
一覧表、図６は同コンテンツリストからのコンテンツ割振り状態を示す一覧表、図７は同
ユーザリストからコンテンツを選択する手順を示す一覧表である。
【００１９】
図１に示すように、メディアプレーヤ１は、再生履歴保存メモリ２、再生履歴グループ
分けリスト保存メモリ３、コンテンツ割振りリスト保存メモリ４、更新条件設定部５及び
重み付け設定部６を有し、前記各メモリ２〜４はフラッシュメモリからなり、ＣＰＵから
なる制御部８により各メモリ２〜４、更新条件設定部５及び重み付け設定部６を制御する
ようになっている。
【００２０】
図１に示すように、前記制御部８には、選局キーや操作釦などからなる操作部９と、液
晶モニタなどからなる表示部１０が接続されている。また、Ｍはメディアサーバであって
、例えば推理ドラマ、連続ドラマ、ロボットアニメなどの多数のコンテンツを蓄積してい
る。
【００２１】
前記再生履歴保存メモリ２は、ユーザがメディアサーバＭに蓄積したコンテンツを検索
し、所望のコンテンツの再生を行ったときに、その再生履歴を保存するものである。
【００２２】
図４は再生履歴の一例を示すものであって、「コンテンツ名」、「ジャンル」、「再生
日時」、「メタデータ」、「再生回数」及び「お気に入り指定」を有し、「メタデータ」
には番組情報（ＥＰＧ）や番組を識別するためのコンテンツＩＤなどが含まれている。
【００２３】
前記再生履歴グループ分けリスト保存メモリ３は、図５に示すように、再生履歴に対し
てクラスタリングを行って形成した再生履歴グループ分けリストＴ１を保存するためのも
のである。
【００２４】
前記コンテンツ割振りリスト保存メモリ４は、図６に示すように、メディアサーバＭか
ら取得したコンテンツを再生履歴グループ分けリストＴ１（図５参照）に割り振って形成
したコンテンツ割振りリストＴ２（図７参照）を保存するためのものである。
【００２５】
前記更新条件設定部５は、再生履歴グループ分けリストＴ１及びコンテンツ割振りリス
トＴ２からなるユーザリストＴの更新条件（例えば更新期間など）を操作部９を操作して
設定する。
【００２６】
前記重み付け設定部６は、図４に示すように、再生履歴に対してクラスタリングを行う
際に、コンテンツに重み付けを行うものであって、この例では、「お気に入り指定」とし
て「○」を付与する。
【００２７】
前記制御部８には再生履歴グループ分け手段が設けられている。これは、再生履歴保存
メモリ２から呼び出した再生履歴（図４参照）に対してクラスタリングを行って再生履歴
グループ分けリストＴ１（図５参照）を作成するものであって、そのクラスタリングでは
、再生履歴のコンテンツ情報（コンテンツ名やジャンルなど）に基づいて各コンテンツの
類似度をＮ−ｇｒａｍ法や形態素解析などを使用して算出することにより、その類似度を
数値化し、数値的に近いコンテンツどうしを自動的にグループ化し、その各グループに語
句解析により抽出した名称を自動的に付与する。
【００２８】
前記Ｎ−ｇｒａｍ法とは、検索対象を単語単位ではなく一定のＮ文字単位で分解し、そ
の出現頻度を求める方法である。例えば「ナイター中継」であれば、「ナイ」「タ−」「
中継」と２文字ずつに分解して検索する。
【００２９】
前記形態素解析とは、言語を形態素（おおまかにいえば言語で意味を持つ最小単位）の
列に分解し、それぞれの品詞を判別する作業である。
【００３０】
前記制御部８にはコンテンツ割振り手段が設けられている。これは、図６に示すように
、メディアサーバＭのコンテンツリストＴ３から取得したコンテンツの類似度を計算し、
グループに近いものを再生履歴グループ分けリストＴ１に割り振ってコンテンツ割振りリ
ストＴ２を形成するものであって、その類似度の計算は前述した再生履歴グループ分け手
段とほぼ同じであるから、その説明を省略する。
【００３１】
制御部８の制御によるユーザリストＴの形成手順を図２に基づいて説明する。その説明
の前提として、コンテンツの再生による再生履歴（図４参照）が再生履歴保存メモリ２に
保存されている（図３のステップＳ１６参照）。ステップＳ１に示すように、メディアプ
レーヤ１を起動させ、ステップＳ２に移行して、該メディアプレーヤ１をメディアサーバ
Ｍに接続させ、ステップＳ３に移行して、更新条件を満たしているか否かを判断する。こ
こで、更新条件設定部５により更新期間として例えば３０日を設定しておけば、３０日経
過後に次のステップＳ４に移行することができ、３０日以内であれば、ステップＳ１０に
移行して、ユーザリストＴの形成は行わない。
【００３２】
ここで、メディアプレーヤ１の起動のたびにユーザリストＴを更新することは、そのメ
ディアプレーヤ１に負担がかかり、ユーザの嗜好も短期間でほとんど変化しないので、実
際的ではない。そこで、更新条件として例えば３０日という更新期間を設定し、その期間
経過後に、ユーザリストＴを更新すれば、メディアプレーヤ１の負担を軽減して実用性を
高めることができる。
【００３３】
ステップＳ３で、更新条件を満たしていると判断されると、ステップＳ４に移行し、再
生履歴保存メモリ２から再生履歴（図４参照）を呼び出し、ステップＳ５に移行して、重
み付け設定部６により重み付けをおこなう。図４の例では、重み付けの印である「お気に
入り指定」として「○」を付与する。
【００３４】
この場合、思い入れの強いコンテンツであってもコンテンツ数が少なければ、「該当グ
ループなし」にグループ分けされる可能性があるが（図５参照）、重み付けすることによ
り、コンテンツ数が少なくても思い入れの強いコンテンツを独立のグループとして再生履
歴グループ分けリストＴ１（図５参照）に載せることができる。図５の例では、「ロボッ
トアニメ１」に重み付けすることにより、それを「ロボットアニメグループ」として独立
したグループとすることができる。
【００３５】
ステップＳ５からステップＳ６に移行することにより、再生履歴（図４参照）に対して
クラスタリングを行う。このクラスタリングでは、再生履歴のコンテンツ情報（コンテン
ツ名やジャンルなど）に基づいて各コンテンツの類似度をＮ−ｇｒａｍ法や形態素解析な
どを使用して算出することにより、その類似度を数値化し、数値的に近いコンテンツどう
しを自動的にグループ化し、その各グループに語句解析により抽出した名称を自動的に付
与する。続いて、ステップＳ７に移行し、再生履歴グループ分けリストＴ１（図５参照）
を作成し、それを再生履歴グループ分けリスト保存メモリ３に保存する。
【００３６】
なお、グループ化に際して、コンテンツ数が少ない場合はグループとせず、再生回数が
多いものや、「お気に入り指定」をされているコンテンツが属している場合は、コンテン
ツ数が少なくてもグループ化するのを原則としている。
【００３７】
図５の再生履歴グループ分けリストＴ１では、「推理ドラマグループ」「連続ドラマグ
ループ」「ナイター中継グループ」「ニュースグループ」「ロボットアニメグループ」「
該当グループ無し」に分けられている。
【００３８】
ステップＳ７からステップＳ８に移行し、図６に示すように、メディアサーバＭのコン
テンツリストＴ３から取得したコンテンツを再生履歴グループ分けリストＴ１に割り振っ
てコンテンツ割振りリストＴ２（図７参照）を形成し、それをコンテンツ割振りリスト保
存メモリ４に保存し（ステップＳ９）、ユーザリストＴの形成作業を終了する（ステップ
Ｓ１０）。
【００３９】
グループの割り振りでは、各グループと各コンテンツとの類似度を計算し、グループに
近いものを割り振っていく。この場合、すべてのコンテンツを割り振る必要はなく、グル
ープに近いものだけを割り振り、その割り振りができなかったものは「該当グループ無し
」に収める。なお、類似度による計算は、前述した再生履歴グループ分け手段の場合とほ
ぼ同じであるから、その説明を省略する。
【００４０】
制御部８の制御による再生手順を図３に基づいて説明する。ステップＳ１１に示すよう
に、メディアプレーヤ１を起動させ、ステップＳ１２に移行して、該メディアプレーヤ１
をメディアサーバＭに接続させ、ステップＳ１３に移行して、ユーザリストＴを選択する
か否かを判断する。
【００４１】
ユーザリストＴを選択する場合には、ステップＳ１４に移行し、図７に示すように、表
示部１０に再生履歴グループ分けリストＴ１が表示され、そのリストＴ１から所望のグル
ープ（例えば「連続ドラマ」）を選択すると、そのグループのコンテンツ割振りリストＴ
２が表示され、そのリストＴ２から所望のコンテンツ（「例えば連続ドラマ４」）を選択
する。
【００４２】
ステップＳ１３において、ユーザリストＴを選択しない場合には、ステップＳ１９に移
行し、従来通りにメディアサーバＭからコンテンツ情報を取得し、ステップＳ１４に移行
して、コンテンツを選択する。
【００４３】
次に、ステップＳ１５に移行して、選択したコンテンツを再生する。その再生中に、ス
テップＳ１６に移行して、再生履歴が再生履歴保存メモリ２に保存され、ステップＳ１７
に移行し、再生終了させた後、ステップＳ１８に移行して、メディアプレーヤ１を停止さ
せる。
【００４４】
上記構成によれば、再生履歴グループ分けリストＴ１及びコンテンツ割振りリストＴ２
からなるユーザリストＴ（図７参照）に基づいて所望のコンテンツを選択して再生するよ
うになっており、そのリストＴの形成にユーザの嗜好による視聴性向が反映されているの
で、ユーザの嗜好に合ったコンテンツを容易に検索することができる。
【００４５】
また、再生履歴が再生履歴保存メモリ２に保存されているので、メディアプレーヤ１を
別のメディアサーバＭに接続したときでも、その再生履歴を有効に利用してユーザの嗜好
を反映させることができる。
【００４６】
更に、メディアサーバＭから取得したコンテンツ情報に基づいてコンテンツを選択し再
生する既存のルート（図３のステップＳ１９参照）に、ユーザリストＴに基づいてコンテ
ンツを選択し再生するルート（ステップＳ１３のＹｅｓ参照）が追加されており、その２
つのルートをユーザが必要に応じて使い分けすることにより、使い勝手の良いメディアプ
レーヤ１を提供することができる。
【００４７】
上記の実施の形態では、図２に示すユーザリストＴの形成と、図３に示すコンテンツの
再生とを同時平行的に行っているが、その再生と再生の間や前後の遊び時間にユーザリス
トＴの形成を行うとが好ましい。これによって、メディアプレーヤ１を有効に利用して、
そのメディアプレーヤ１にかかる負担を軽減することができる。
【図面の簡単な説明】
【００４８】
【図１】本発明の実施の一形態であるメディアプレーヤを示すブロック図である。
【図２】同ユーザリストの形成手順を示す流れ図である。
【図３】同再生手順を示す流れ図である。
【図４】同再生履歴を示す一覧表である。
【図５】同再生履歴のグループ分け状態を示す一覧表である。
【図６】同コンテンツリストからのコンテンツ割振り状態を示す一覧表である。
【図７】同ユーザリストからコンテンツを選択する手順を示す一覧表である。
【符号の説明】
【００４９】
１        メディアプレーヤ
２        再生履歴保存メモリ
３        再生履歴グループ分けリスト保存メモリ
４        コンテンツ割振りリスト保存メモリ
５        更新条件設定部
６        重み付け設定部
８        制御部
Ｍ        メディアサーバ
Ｔ        ユーザリスト
Ｔ１      再生履歴グループ分けリスト
Ｔ２      コンテンツ割振りリスト
【図１】
2009217551.tif 000003
【図２】
2009217551.tif 000004
【図３】
2009217551.tif 000005
【図４】
2009217551.tif 000006
【図５】
2009217551.tif 000007
【図６】
2009217551.tif 000008
【図７】
2009217551.tif 000009